(57)【要約】【課題】商品陳列室内を照明するランプの照度をアップすることなく商品陳列室内を明るく見えるようにし、購買者の購買意欲を高めることができるリーチインショーケースを提供する。【解決手段】正面に開口が形成され、内部に商品陳列室が形成された箱形状のショーケース本体と、ショーケース本体の開口側に設けられ、開口を閉止する閉止位置と開口を開放する開放位置とに回動可能な開き戸式の透明扉５と、ショーケース本体の開口側に設けられ、透明扉５を閉止位置に回動させた場合にこの透明扉５の回動側端部が当接する戸当たり部１１と、を有し、戸当たり部１１は、商品陳列室の奥行き方向の側面に鏡面部材２４が用いられている。【選択図】図４
2016114254.tif 000002
【特許請求の範囲】
【請求項１】
正面に開口が形成され、内部に商品陳列室が形成された箱形状のショーケース本体と、
前記ショーケース本体の前記開口側に設けられ、前記開口を閉止する閉止位置と前記開口を開放する開放位置とに回動可能な開き戸式の透明扉と、
前記ショーケース本体の前記開口側に設けられ、前記透明扉を閉止位置に回動させた場合にこの透明扉の回動側端部が当接する戸当たり部と、
を有し、
前記戸当たり部は、前記商品陳列室の奥行き方向の側面に鏡面部材が用いられていることを特徴とするリーチインショーケース。
【請求項２】
前記戸当たり部は、上下方向に延びたフレーム枠を有し、前記鏡面部材は前記フレーム枠に嵌め込まれて固定されていることを特徴とする請求項１記載のリーチインショーケース。
【請求項３】
前記鏡面部材は、ステンレスにより形成されていることを特徴とする請求項１又は２記載のリーチインショーケース。
【請求項４】
前記鏡面部材は、アクリルミラーにより形成されていることを特徴とする請求項１又は２記載のリーチインショーケース。
【発明の詳細な説明】
【技術分野】
【０００１】
本発明は、閉止位置と開放位置とに回動可能な開き戸式の透明扉を備えたリーチインショーケースに関する。
【背景技術】
【０００２】
リーチインショーケースの一例としては、正面に開口が形成されて内部に商品陳列室が形成されたショーケース本体と、開口を閉止する閉止位置と開口を開放する開放位置とに回動可能な開き戸式のガラス扉とを有するものが知られている。このようなリーチインショーケースにおけるショーケース本体の開口側には、ガラス扉を閉止位置に回動させた場合にガラス扉の回動側端部が当接することにより商品陳列室を気密状態とする戸当たり部が設けられている。
【０００３】
戸当たり部を有するリーチインショーケースの一例としては、例えば、下記特許文献１に記載されたものが知られている。このリーチインショーケースの戸当たり部は、上下方向に延びた支柱と、この支柱の外周に取付けられた樹脂製の板部材とにより形成されている。
【先行技術文献】
【特許文献】
【０００４】
【特許文献１】特開２０１４−８７３９３号公報
【発明の概要】
【発明が解決しようとする課題】
【０００５】
しかしながら、特許文献１に記載されたリーチインショーケースでは、ガラス扉の外側から商品陳列室内を見た場合、或いは、ガラス扉を開放して商品陳列室内を見た場合に、ショーケース本体の開口側に位置する樹脂製の板部材が商品を視認する妨げとなり、さらに、樹脂製の板部材の存在により商品陳列室内が暗く見え、購買者の購買意欲を削いでしまう場合がある。
【０００６】
商品陳列室内が暗く見えることの対策としては、商品陳列室内に設置されているランプの照度を上げることが考えられるが、その場合には消費電力が増大するという問題が生じる。しかも、ランプの照度を上げることによりランプからの発熱量が増えるので、その対策としてリーチインショーケースに設けられている冷凍サイクルの出力を上げる必要があり、消費電力がさらに増大することになる。
【０００７】
本発明は、このような課題を解決するためになされたものであり、その目的は、商品陳列室内を照明するランプの照度をアップすることなく商品陳列室内を明るく見えるようにし、購買者の購買意欲を高めることができるリーチインショーケースを提供することである。
【課題を解決するための手段】
【０００８】
本発明に係るリーチインショーケースは、正面に開口が形成され、内部に商品陳列室が形成された箱形状のショーケース本体と、前記ショーケース本体の前記開口側に設けられ、前記開口を閉止する閉止位置と前記開口を開放する開放位置とに回動可能な開き戸式の透明扉と、前記ショーケース本体の前記開口側に設けられ、前記透明扉を閉止位置に回動させた場合にこの透明扉の回動側端部が当接する戸当たり部と、を有し、前記戸当たり部は、前記商品陳列室の奥行き方向の側面に鏡面部材が用いられている。
【０００９】
また、前述のリーチインショーケースにおいて、前記戸当たり部は、上下方向に延びたフレーム枠を有し、前記鏡面部材は前記フレーム枠に嵌め込まれて固定されていることが望ましい。
【００１０】
また、前述のリーチインショーケースにおいて、前記鏡面部材は、ステンレスにより形成されていることが望ましい。
【００１１】
また、前述のリーチインショーケースにおいて、前記鏡面部材は、アクリルミラーにより形成されていることが望ましい。
【発明の効果】
【００１２】
本発明に係るリーチインショーケースでは、戸当たり部における商品陳列室の奥行き方向の側面に鏡面部材が用いられているので、商品陳列室内に陳列されている商品が鏡面部材に映ることにより陳列されている商品のボリューム感を出すことができ、さらに、商品陳列室内を照明するランプの光が鏡面部材で反射されるので商品陳列室内が明るくなり、購買者の購入意欲を高めることができる。しかも、商品陳列室内を照明するランプの照度を上げることなく商品陳列室内が明るくなるため、消費電力を抑えることができる。
【００１３】
また、戸当たり部は、上下方向に延びたフレーム枠を有し、このフレーム枠に鏡面部材が嵌め込んで固定されているので、鏡面部材の表面にビスなどの固定部材が現れず、鏡面部材によるランプの光を反射する効率を高めることができる。
【００１４】
また、鏡面部材はステンレスやアクリルミラーにより形成されているので、鏡面部材におけるランプの光の反射性能を高めることができる。
【図面の簡単な説明】
【００１５】
【図１】本発明の一実施形態のリーチインショーケースを示す斜視図である。
【図２】リーチインショーケースを示す断面平面図である。
【図３】リーチインショーケースを示す断面側面図である。
【図４】戸当たり部を拡大して示す断面平面図である。
【発明を実施するための形態】
【００１６】
本発明の一実施形態のリーチインショーケースについて、図面に基づいて説明する。図１はリーチインショーケース１を示す斜視図である。リーチインショーケース１は、正面に開口２（図２参照）が形成されて内部に商品陳列室３（図２、図３参照）が形成された箱形状のショーケース本体４を有している。ショーケース本体４の開口２側には、開口２を閉止する閉止位置と開口２を開放する開放位置とに回動可能な開き戸式の透明扉である一対のガラス扉５が設けられている。ガラス扉５には、ガラス扉５を回動させる際に把持する取手６が設けられている。
【００１７】
図２は、リーチインショーケース１を示す断面平面図である。ショーケース本体４内の奥側には上下方向に延びた区画壁７が設けられ、ショーケース本体４内における区画壁７より手前側の部分が商品陳列室３とされている。商品陳列室３内には、商品を陳列する陳列棚８が上下方向に複数段設けられている。また、ショーケース本体４内における区画壁７より奥側の部分は、後述する冷凍サイクルで生成された冷気が下から上に向かって流れるダクト９とされている。
【００１８】
ショーケース本体４の開口２側の両側には、上下方向に延びた支柱１０が設けられている。これらの支柱１０には、ガラス扉５の取付側端部がヒンジ（図示せず）により回動可能に取付けられている。さらに、ショーケース本体４の開口２側の中央部には、戸当たり部１１が設けられている。戸当たり部１１は、ガラス扉５を閉止位置に回動させた場合にガラス扉５の回動側端部が当接するように設けられている。閉止位置に回動したガラス扉５の回動側端部が戸当たり部１１に当接することにより、商品陳列室３内が気密状態に維持されるようになっている。支柱１０の奥側面と戸当たり部１１の奥側面とには、商品陳列室３内を照明する蛍光ランプ１２が取付けられている。
【００１９】
図３は、リーチインショーケース１を示す断面側面図である。ショーケース本体４内は、区画壁７より手前側の部分が商品陳列室３とされ、区画壁７より奥側の部分がダクト９とされている。ダクト９は上下方向に延びた通路であり、ダクト９の上部はショーケース本体４内の上部空間に連通され、この上部空間には、冷却器１３とファン１４とが設置されている。冷却器１３は、冷媒を循環させて熱交換を行う冷凍サイクルの一部を構成する部材であり、内部で冷媒が蒸発することにより冷却器１３の周囲の空気から熱を吸収し、冷却器１３の周囲の空気を冷却して冷気を生成する。生成された冷気は、ファン１４により送風されて開口２に沿って流れ落ちてエアーカーテンを形成し、一部の冷気は商品陳列室３内に流入するようになっている。なお、冷凍サイクルは、冷媒を圧縮する圧縮機、圧縮された冷媒を凝縮する凝縮器、凝縮された冷媒を断熱膨張させる膨張器、断熱膨張された冷媒を蒸発させる冷却器１３等からなり、これらの各機器は冷媒が循環するパイプで接続されている。
【００２０】
図４は、戸当たり部１１を拡大して示す断面平面図である。戸当たり部１１は、上下方向に延びた支柱１５を有し、支柱１５における商品陳列室３の奥行き方向の両側面には上下方向に延びた一対のフレーム枠１６が固定されている。支柱１５へのフレーム枠１６の固定は、複数のネジ１７で締め付けることにより行われている。
【００２１】
一対のフレーム枠１６の開口２側の端部には、互いに対向する向きに開口したスリット状の支持部１８が形成されている。これらの支持部１８には、上下方向に延びた板状の鏡面部材１９が嵌め込まれて固定されている。この鏡面部材１９は、ステンレス或いはアクリルミラーにより形成されている。この鏡面部材１９には、閉止位置に回動したガラス扉５の回動側端部に固定された緩衝部材２０が当接するようになっている。
【００２２】
一対のフレーム枠１６の商品陳列室３の奥行き方向の端部の間には、上下一対のランプホルダ２１がネジ２２、２２ａにより締め付け固定されている。これらの一対のランプホルダ２１により商品陳列室３内を照明する長尺状の蛍光ランプ１２が保持されている。
【００２３】
一対のフレーム枠１６のそれぞれには、商品陳列室３の奥行き方向の前後に位置して互いに対向する向きに開口したスリット状の支持部２３が形成されている。これらの支持部２３には、上下方向に延びた板状の鏡面部材２４が嵌め込まれて固定されている。これらの鏡面部材２４により、ネジ１７、２２の頭が覆われている。
【００２４】
このような構成において、ガラス扉５の外側から商品陳列室３内を見た場合、或いは、ガラス扉５を開けて商品陳列室３内を見た場合、商品陳列室３内に陳列されている商品が鏡面部材２４に映り、商品陳列室３内に陳列されている商品のボリューム感を出すことができる。さらに、商品陳列室３内を照明する蛍光ランプ１２の光が鏡面部材２４で反射されるので、商品陳列室３内が明るくなる。そして、商品陳列室３内に陳列されている商品のボリューム感がでることと、商品陳列室３内が明るくなることとにより、購買者の購買意欲を高めることができる。
【００２５】
商品陳列室３内を明るくすることに関しては、蛍光ランプ１２の照度を上げることなく鏡面部材２４での反射を利用して行えるので、照明に関する消費電力を抑えることができる。さらに、蛍光ランプ１２の照度を上げないことにより蛍光ランプ１２からの発熱量を抑えることができ、蛍光ランプ１２からの発熱量を抑えることにより冷凍サイクルの出力を抑えることができるので、消費電力をより一層抑えることができる。
【００２６】
戸当たり部１１の構造に関しては、上下方向に延びたフレーム枠１６を複数のネジ１７で支柱１５に固定し、このフレーム枠１６にスリット状の支持部２３を形成し、これらの支持部２３に上下方向に延びた板状の鏡面部材２４を嵌め込んで固定している。このため、フレーム枠１６を固定したネジ１７やランプホルダ２１を固定したネジ２２の頭が鏡面部材２４により覆われて見えなくなり、しかも、鏡面部材２４を固定するネジ等が鏡面部材２４の表面に現れることがないため、鏡面部材２４による蛍光ランプ１２の光を反射する効率を高めることができる。また、商品陳列室３内に陳列されている商品が鏡面部材２４に映る場合、鏡面部材２４の表面には固定用のネジ等が現れないため、陳列されている商品をきれいに映すことができる。したがって、蛍光ランプ１２の光を反射する効率を高めることと、陳列されている商品をきれいに映すことができることとにより、購買者の購買意欲をより一層高めることができる。
【００２７】
また、戸当たり部１１における開口２側の正面部分には、上下方向に延びた板状の鏡面部材１９がフレーム枠１６の支持部１８に嵌め込んで固定されており、この鏡面部材１９では店内の照明光が反射される。このため、戸当たり部１１の存在が商品陳列室３内を暗く見せることはなく、鏡面部材１９は商品陳列室３内を明るく見せることに寄与している。
【００２８】
また、鏡面部材１９、２４は、ステンレスやアクリルミラーにより形成されているので、蛍光ランプの光の反射性能を高めることができるとともに、十分な強度を確保することかできる。
【００２９】
なお、本実施の形態では、ショーケース本体４の開口２側に回動可能な開き戸式の一対のガラス扉５が設けられ、開口の中央部に戸当たり部１１が設けられ、戸当たり部１１における商品陳列室３の奥行き方向の両側面に鏡面部材２４が設けられたリーチインショーケースを例に挙げて説明したが、本発明は、回動可能な開き戸式のガラス扉を１枚有する片側開きのリーチインショーケースにも適用することができる。この場合には、戸当たり部における商品陳列室３の奥行き方向の一方の側面であって商品陳列室３内を向いた側面にのみ鏡面部材を設けるようにする。
【符号の説明】
【００３０】
１    リーチインショーケース
２    開口
３    商品陳列室
４    ショーケース本体
５    ガラス扉（透明扉）
６    取手
７    区画壁
８    陳列棚
９    ダクト
１０    支柱
１１    戸当たり部
１２    蛍光ランプ
１３    冷却器
１４    ファン
１５    支柱
１６    フレーム枠
１７    ネジ
１８    支持部
１９    鏡面部材
２０    緩衝部材
２１    ランプホルダ
２２    ネジ
２２ａ  ネジ
２３    支持部
２４    鏡面部材
【図１】
2016114254.tif 000003
【図２】
2016114254.tif 000004
【図３】
2016114254.tif 000005
【図４】
2016114254.tif 000006